(57)【要約】【課題】無線受信装置を有する電子設備と通信でき、また、電子設備のカーソルを遠隔制御でき、さらに、全体の体積が小さくて、軽薄且つ省電力等の効果が得られるポインティング機能付きの遠隔制御装置を提供する。【解決手段】ボタンモジュールとポインティングモジュール、無線通信モジュール及びマイクロプロセスモジュールが含有され、マイクロプロセスモジュールにより、ボタンモジュールとポインティングモジュール及び無線通信モジュールが制御される。【選択図】図１Ａ
2008099226.tif 000002
【特許請求の範囲】
【請求項１】
ボタンモジュールと、
タッチポイントであるポインティングモジュールと、
無線受信装置を有する電子設備と通信できる第１の無線通信モジュールと、
当該ボタンモジュールと当該ポインティングモジュール及び当該第１の無線通信モジュールを制御する第一のマイクロプロセスモジュールと、が含有され、
当該ボタンモジュールと当該ポインティングモジュールにより機能を選択することとカーソルを移動することができる、ことを特徴とするポインティング機能付きの遠隔制御装置。
【請求項２】
当該第１の無線通信モジュールは、赤外線や２７ＭＨｚ、２．４ＧＨｚ或いはブルートゥースを介して伝送を行う通信モジュールであることを特徴とする請求項１に記載のポインティング機能付きの遠隔制御装置。
【請求項３】
当該無線受信装置は、第２の無線通信モジュールと第２のマイクロプロセスモジュール及び有線伝送インターフェースが含有されることを特徴とする請求項１に記載のポインティング機能付きの遠隔制御装置。
【発明の詳細な説明】
【技術分野】
【０００１】
本発明は、ポインティング機能付きの遠隔制御装置に関し、特に、タッチポイントをポインティングモジュールとする遠隔制御装置に関する。
【背景技術】
【０００２】
既存のリモコン（Ｒｅｍｏｔｅ  Ｃｏｎｔｒｏｌｌｅｒ、  ＲＣ）において、操作のロケーション装置は、一般に、ファイブキー（ＦＩＶＥ  ＫＥＹ）やナインキー（ＮＩＮＥ  ＫＥＹ）であり、しかしながら、方向キーは機械式スウィッチ耐用性や移動方向性が制限された欠点があり、単純のメニュー移動だけができるため、既存の数多いマルチメディアカードを応用する場合、ロケーションやポインタ移動に非常に不便である。
【０００３】
また、リモコンによりタッチパネルを合わせてマウスのポインティング機能を模擬できるが、リモコンのサイズにより移動可能の範囲が制限され、大距離を移動する時、非常に不便であるため、より便利なポインティング装置が必要される。
【０００４】
例えば、図３を参照しながら、中華民国専利公報公告第Ｍ２８９５５６号「智慧型遠隔制御装置」は、電子製品を制御するための智慧型遠隔制御装置３であり、当該電子製品は、当該智慧型遠隔制御装置３と通信するための通信モジュールが含有され、当該智慧型遠隔制御装置３は、当該智慧型遠隔制御装置３を操作するためのボタンセット３１と、データを表示するためのディスプレーパネル３２と、当該電子製品の通信モジュールにカップリングされる伝送ポート３３と、当該伝送ポート３３と当該通信モジュールとのカップリングを介して、当該電子製品に対してコマンドを送信するための制御ユニット３４と、が含有され、当該電子製品が電子製品の制御コマンドセットを受信し、当該制御可能なコマンドを当該ディスプレーパネル３２に表示し、そして、当該ボタンセット３１を操作して当該ディスプレーパネル３２に表示された制御コマンドを選択することにより、当該電子製品を遠隔制御し、また、当該遠隔制御装置は、更に、当該電子製品の制御コマンドセットを記憶するための制御コマンドデータベース３５が含有される。
【０００５】
上記従来の方法は遠隔制御装置により電子製品に対して機能を調整できるが、当該電子製品のカーソル移動を制御できず、他に、マウスや他のカーソル移動を制御可能な装置を接続することが必要であるため、非常に不便であり、そして、実用的とは言えない。
【特許文献１】中華民国専利公報公告第Ｍ２８９５５６号
【発明の開示】
【発明が解決しようとする課題】
【０００６】
本発明の主な目的は、体積が小さくて省電力できる、タッチポイントをポインティングモジュールとする遠隔制御装置を提供する。
【課題を解決するための手段】
【０００７】
本発明は、上記の目的を達成するため、ボタンモジュールとポインティングモジュール、無線通信モジュール及びマイクロプロセスモジュールが含有され、当該マイクロプロセスモジュールにより、当該ボタンモジュールとポインティングモジュール及び無線通信モジュールを制御し、当該無線通信モジュールにより、無線受信器を有する電子設備と通信し、当該ボタンモジュールとポインティングモジュールにより、機能を選択することとカーソルを移動することができるポインティング機能付きの遠隔制御装置である。
【発明を実施するための最良の形態】
【０００８】
図１Ａと１Ｂは、それぞれ、本発明の第１の実施例の構造のフロック概念図と本発明の第１の実施例の立体外観概念図である。図のように、本発明は、ポインティング機能付きの遠隔制御装置であり、当該遠隔制御装置１は、ボタンモジュール１１とポインティングモジュール１２、第１の無線通信モジュール１３及び第１のマイクロプロセスモジュール１４から構成される。
【０００９】
上記遠隔制御装置１は、第１の無線通信モジュール１３により、無線受信装置２１を有する電子設備２と通信でき、また、当該第１のマイクロプロセスモジュール１４により、ボタンモジュール１１とポインティングモジュール１２及び第１の無線通信モジュール１３が制御され、ユーザーは、当該ボタンモジュール１１とポインティングモジュール１２により、遠隔制御装置１に接続された電子設備２に対して、機能を選択することやカーソルの方向を制御することができる。また、当該ポインティングモジュール１２はタッチポイントであり、当該第１の無線通信モジュール１３は赤外線や２．７ＭＨｚ、２．４ＧＨｚ或いはブルートゥースを介して無線受信装置２１を有する電子設備２と通信でき、また、当該無線受信装置２１は第２の無線通信モジュール２１１と第２のマイクロプロセスモジュール２１２及び有線伝送インターフェース２１３が含有され、当該有線伝送インターフェース２１３は汎用シリアルバスや非同期式シリアルインターフェースであり、電子設備２に接続される。
【００１０】
図２Ａと２Ｂは、それぞれ、本発明の第２の実施例の構造のフロック概念図と本発明の第２の実施例の立体外観概念図である。図のように、本発明は、ポインティング機能付きの遠隔制御装置であり、当該遠隔制御装置１ａは、ボタンモジュール１１ａとポインティングモジュール１２ａ、第１の無線通信モジュール１３ａ、表示モジュール１４ａ及び第１のマイクロプロセスモジュール１５ａから構成される。
【００１１】
上記遠隔制御装置１ａは、第１の無線通信モジュール１３ａにより無線受信装置２１を有する電子設備２と通信でき、また、当該第１のマイクロプロセスモジュール１５ａにより、ボタンモジュール１１ａとポインティングモジュール１２ａ、第１の無線通信モジュール１３ａ及び表示モジュール１４ａが制御され、ユーザーは、当該ボタンモジュール１１ａとポインティングモジュール１２ａにより、遠隔制御装置１ａに接続された電子設備２に対して、機能を選択することやカーソルの方向を制御することができ、また、表示モジュール１４ａを介して遠隔制御状態を把握でき、また、当該ポインティングモジュール１２ａはタッチポイントであり、当該第１の無線通信モジュール１３ａは赤外線や２．７ＭＨｚ、２．４ＧＨｚ或いはブルートゥースを介して無線受信装置２１を有する電子設備２と通信でき、また、当該表示モジュール１４ａは遠隔制御状態を表示し、また、当該無線受信装置２１は第２の無線通信モジュール２１１と第２のマイクロプロセスモジュール２１２及び有線伝送インターフェース２１３が含有され、当該有線伝送インターフェース２１３は汎用シリアルバスや非同期式シリアルインターフェースであり、電子設備２に接続される。
【００１２】
以上の説明のように、本発明に係わるポインティング機能付きの遠隔制御装置は、有効に、従来の諸欠点を改善でき、本発明のポインティングモジュールにタッチポイントが使用されるため、従来の機械式方向キーの耐用寿命が短い問題を改善でき、また、体積が小さいことや軽薄的であること、直覚的にポインタを移動できること及び省電力であること等の効果が得られ、そのため、本発明は、より進歩的で且つより実用的であり、法に従って特許請求を出願する。
【００１３】
以上は、ただ、本発明のより良い実施例であり、本発明は、それによって制限されることがなく、また、本発明に係わる特許請求の範囲や明細書の内容に基づいて行った等価の変更や修正は、全てが、本発明に係わる特許請求の範囲内に含まれる。
【図面の簡単な説明】
【００１４】
【図１Ａ】本発明の第１の実施例の構造のフロック概念図
【図１Ｂ】本発明の第１の実施例の立体外観概念図
【図２Ａ】本発明の第２の実施例の構造のフロック概念図
【図２Ｂ】本発明の第２の実施例の立体外観概念図
【図３】従来のフロック概念図
【符号の説明】
【００１５】
１、１ａ                遠隔制御装置
１１、１１ａ            ボタンモジュール
１２、１２ａ            ポインティングモジュール
１３、１３ａ            第１の無線通信モジュール
１４ａ                  表示モジュール
１４、１５ａ            第１のマイクロプロセスモジュール
２                      電子設備
２１                    無線受信装置
２１１                  第２の無線通信モジュール
２１２                  第２のマイクロプロセスモジュール
２１３                  有線伝送インターフェース
３                      智慧型遠隔制御装置
３１                    ボタンセット
３２                    ディスプレーパネル
３３                    伝送ポート
３４                    制御ユニット
３５                    制御コマンドデータベース
【図１Ａ】
2008099226.tif 000003
【図１Ｂ】
2008099226.tif 000004
【図２Ａ】
2008099226.tif 000005
【図２Ｂ】
2008099226.tif 000006
【図３】
2008099226.tif 000007